(57)【特許請求の範囲】
【請求項１】
少なくとも一つの広告主端末機からキーワード広告のための少なくとも一つの入札情報を受信し、
前記少なくとも一つの入札情報に基づきキーワード広告領域の複数の広告スロットのうち少なくとも一部を結合して結合された広告スロットを生成し、
前記複数の広告スロットのうち結合されていない広告スロット及び／又は前記結合された広告スロットを用いて少なくとも一つのキーワード広告を提供すること、
を含み、
隣接する前記広告スロットは接触して配置され、
前記結合された広告スロットを用いて提供されるキーワード広告は、当該広告スロットが結合される前の広告スロットを単位として提供され、
前記少なくとも一つの入札情報のそれぞれは、検索手掛り、該当するキーワード広告が前記キーワード広告領域で掲載される位置、広告スロットの個数、及び入札金額のうちの少なくとも一つを含む、キーワード広告を提供するための方法。
【請求項２】
少なくとも一つの広告主端末機からキーワード広告のための少なくとも一つの入札情報を受信し、
前記少なくとも一つの入札情報に基づきキーワード広告領域の複数の広告スロットのうち少なくとも一部を結合して結合された広告スロットを生成し、
前記複数の広告スロットのうち結合されていない広告スロット及び／又は前記結合された広告スロットを用いて少なくとも一つのキーワード広告を提供すること、
を含み、
前記結合されていない広告スロットに掲載されるキーワード広告の情報の形態はテキストであり、
前記結合された広告スロットに掲載されるキーワード広告の情報の形態にはさらにイメージまたは動画を含むことができ、
前記少なくとも一つの入札情報のそれぞれは、検索手掛り、該当するキーワード広告が前記キーワード広告領域で掲載される位置、広告スロットの個数、及び入札金額のうちの少なくとも一つを含む、キーワード広告を提供するための方法。
【請求項３】
前記結合された広告スロットに掲載されるキーワード広告の情報の形態は、前記結合された広告スロットを構成する広告スロットの個数及び結合形態に応じて決定されることを特徴とする請求項２に記載の方法。
【請求項４】
前記検索手掛りは、キーワード、カテゴリ及び位置識別子のうちの少なくとも一つであることを特徴とする請求項１乃至請求項３のいずれかに記載の方法。
【請求項５】
複数の広告主端末機からキーワード広告のための複数の入札情報を受信し、
前記複数の入札情報に基づきキーワード広告領域に掲載される複数のキーワード広告組み合わせを互いに素な組み合わせになるように決定し、
前記決定された複数のキーワード広告組み合わせのうち一つを前記キーワード広告領域の複数の広告スロットのうち二つ以上を結合した結合スロットを含むキーワード広告領域に配置して広告を掲載すること、
を含み、
前記複数の入札情報のそれぞれは、入札金額を含み、
前記広告を掲載することは、前記キーワード広告組み合わせ毎の合計入札金額に基づいて前記決定された複数のキーワード広告組み合わせのうち一つを選択して前記結合スロットを含むキーワード広告領域に配置することを含む、キーワード広告を提供するための方法。
【請求項６】
前記キーワード広告組み合わせの決定は、前記複数の入札情報の入札金額、検索手掛りの属性、複数の広告主の履歴情報、及び前記複数の広告主の属性のうち少なくとも一つを考慮することを含むことを特徴とする請求項５に記載の方法。
【請求項７】
少なくとも一つの広告主端末機からキーワード広告のための少なくとも一つの入札情報を受信する入札情報管理部と、
前記少なくとも一つの入札情報に基づきキーワード広告領域の複数の広告スロットのうち少なくとも一部を結合して結合された広告スロットを生成する広告スロット管理部と、
前記複数の広告スロットのうち結合されていない広告スロット及び／又は前記結合された広告スロットを用いて少なくとも一つのキーワード広告を提供する広告提供部と、
を含み、
隣接する前記広告スロットは接触して配置され、
前記結合された広告スロットを用いて提供されるキーワード広告は、当該広告スロットが結合される前の広告スロットを単位として提供され、
前記少なくとも一つの入札情報のそれぞれは、検索手掛り、該当キーワード広告が前記キーワード広告領域で掲載される位置、広告スロットの個数、及び入札金額のうちの少なくとも一つを含む、キーワード広告を提供するためのシステム。
【請求項８】
少なくとも一つの広告主端末機からキーワード広告のための少なくとも一つの入札情報を受信する入札情報管理部と、
前記少なくとも一つの入札情報に基づきキーワード広告領域の複数の広告スロットのうち少なくとも一部を結合して結合された広告スロットを生成する広告スロット管理部と、
前記複数の広告スロットのうち結合されていない広告スロット及び／又は前記結合された広告スロットを用いて少なくとも一つのキーワード広告を提供する広告提供部と、
を含み、
前記結合されていない広告スロットに掲載されるキーワード広告の情報の形態はテキストであり、
前記結合された広告スロットに掲載されるキーワード広告の情報の形態にはさらにイメージまたは動画を含むことができ、
前記少なくとも一つの入札情報のそれぞれは、検索手掛り、該当キーワード広告が前記キーワード広告領域で掲載される位置、広告スロットの個数、及び入札金額のうちの少なくとも一つを含む、キーワード広告を提供するためのシステム。
【請求項９】
複数の広告主端末機からキーワード広告のための複数の入札情報を受信する入札情報管理部と、
前記複数の入札情報に基づき検索広告領域に掲載される複数のキーワード広告組み合わせを互いに素な組み合わせになるように決定し、前記決定された複数のキーワード広告組み合わせのうち一つを前記キーワード広告領域の複数の広告スロットのうち二つ以上を結合した結合スロットを含むキーワード広告領域に配置して広告を掲載する広告スロット管理部と、
を含み、前記複数の入札情報のそれぞれは、入札金額を含み、
前記広告を掲載することは、前記キーワード広告組み合わせ毎の合計入札金額に基づいて前記決定された複数のキーワード広告組み合わせのうち一つを選択して前記結合スロットを含むキーワード広告領域に配置することを含む、キーワード広告を提供するためのシステム。
【請求項１０】
請求項１乃至６のうちいずれか一項に記載の方法を行うためのコンピュータプログラムを記録するコンピュータ読み取り可能な記録媒体。
【発明の詳細な説明】
【技術分野】
【０００１】
本発明は、キーワード広告領域を柔軟に分割して提供するための方法、システム及びコンピュータ読み取り可能な記録媒体に関する。より詳細には、本発明は、キーワード広告領域をユーザの視点から多様なサイズを有する複数の広告スロット（ｓｌｏｔ）又はインベントリ（ｉｎｖｅｎｔｏｒｙ）に柔軟に分割し、広告主に前記複数の広告スロット又はインベントリを提供して、前記広告主のキーワード広告が、前記スロット又はインベントリ上に掲載されることができるようにするための方法、システム及びコンピュータ読み取り可能な記録媒体に関する。
【背景技術】
【０００２】
近年、インターネット使用が普遍化されるにつれて、ユーザは、インターネット検索により多様な情報を獲得できるようになった。即ち、ユーザはインターネットの接続が可能なパソコンなどの端末装置を介して、インターネット検索サイトに接続し、ニュース、知識、ゲーム、コミュニティーなどに関する各種コンテンツを検索できるようになった。
【０００３】
上述のように、インターネット検索による情報獲得が普遍化されるにつれて、最近、検索サイトを介してユーザから入力される検索手掛り（例えば、検索キーワード）に係る広告を提供するキーワード広告（Ｋｅｙｗｏｒｄ  Ａｄｖｅｒｔｉｓｅｍｅｎｔ）が盛んになっている。ここで、キーワード広告は、ユーザが検索エンジンを用いて特定の検索手掛りで検索を行う場合、検索結果ページ上の特定位置に広告主のウェブページアドレス、広告メッセージ、イメージなどの広告情報が掲載されるようにする広告方法である。また、このようなキーワード広告によると、不特定多数に広告が無条件に提供されるのではなく、特定の検索手掛りで検索を行ったユーザにのみ広告が提供されるため、広告主が提供する商品やサービスを利用する可能性が相対的に高い潜在顧客にのみターゲティングされた（ｔａｒｇｅｔｅｄ）広告が提供される。そのため、キーワード広告は、最近大きく脚光を浴びており、その活用範囲も徐々に広がっている。
【０００４】
一方、検索サイトを運営する企業（以下、「キーワード広告提供者」とする）は、より多くの広告を誘致し、それに伴う広告収益を最大にするために、検索広告領域を複数の固定サイズを有する広告スロット又はインベントリに分割し、分割された広告スロット又はインベントリ毎に広告を掲載し、各広告の掲載順位に応じて、広告費用に差をつけて課金している。
【０００５】
従って、既存の広告提供方法によると、キーワード広告の形式が単調になるため、より多くの費用を支払っても、多様な広告表現を通じてユーザにより強い印象を残そうとする広告主のニーズが充分に反映されにくいという短所があり、このような短所は、収益性などの観点においてもキーワード広告提供者に否定的な影響を与えている。
【発明の概要】
【発明が解決しようとする課題】
【０００６】
本発明は、上述した問題点を全て解決することをその目的とする。
【０００７】
また、本発明は、キーワード広告領域をユーザの視点から多様なサイズを有するように柔軟に分割して提供することにより、広告主の費用の支払い能力に適したキーワード広告商品を提供することをその目的とする。
【０００８】
また、本発明は、多様なキーワード広告掲載形式を許容することにより、ユーザにより強い印象を残そうとする広告主のニーズを満たすことができるようにすることをその目的とする。
【０００９】
また、本発明は、キーワード広告提供者の収益を最大にすることをその目的とする。
【課題を解決するための手段】
【００１０】
本発明の一態様によると、少なくとも一つの広告主端末機からキーワード広告のための少なくとも一つの入札情報を受信し、前記少なくとも一つの入札情報に基づきキーワード広告領域の複数の広告スロットのうち少なくとも一部を結合して結合された広告スロットを生成し、前記複数の広告スロットのうち結合されていない広告スロット及び／又は前記結合された広告スロットを用いて少なくとも一つのキーワード広告を提供すること、を含むキーワード広告を提供するための方法が提供される。
【００１１】
本発明の他の態様によると、複数の広告主端末機からキーワード広告のための複数の入札情報を受信し、前記複数の入札情報に基づきキーワード広告領域に掲載される複数のキーワード広告組み合わせを決定し、前記決定された複数のキーワード広告組み合わせのうち一つを前記キーワード広告領域の複数の広告スロットのうち二つ以上を結合した結合スロットを含むキーワード広告領域に配置して広告を掲載すること、を含むキーワード広告を提供するための方法が提供される。
【００１２】
本発明のまた他の態様によると、少なくとも一つの広告主端末機からキーワード広告のための少なくとも一つの入札情報を受信する入札情報管理部と、前記少なくとも一つの入札情報に基づきキーワード広告領域の複数の広告スロットのうち少なくとも一部を結合して結合された広告スロットを生成する広告スロット管理部と、前記複数の広告スロットのうち結合されていない広告スロット及び／又は前記結合された広告スロットを用いて少なくとも一つのキーワード広告を提供する広告提供部と、を含むキーワード広告を提供するためのシステムが提供される。
【００１３】
本発明のまた他の態様によると、複数の広告主端末機からキーワード広告のための複数の入札情報を受信する入札情報管理部と、前記複数の入札情報に基づき検索広告領域に掲載される複数のキーワード広告組み合わせを決定し、前記決定された複数のキーワード広告組み合わせのうち一つを前記キーワード広告領域の複数の広告スロットのうち二つ以上を結合した結合スロットを含むキーワード広告領域に配置して広告を掲載する広告スロット管理部と、を含むキーワード広告を提供するためのシステムが提供される。
【００１４】
本発明のまた他の態様によると、本発明を実現するための他の方法、システム及び前記方法を行うためのコンピュータプログラムを記録するためのコンピュータ読み取り可能な記録媒体がさらに提供される。
【発明の効果】
【００１５】
本発明の実施形態によると、キーワード広告領域をユーザの視点から多様なサイズを有するように柔軟に分割して提供することにより、広告主の費用の支払い能力に適したキーワード広告商品を提供することができる。
【００１６】
本発明の実施形態によると、多様なキーワード広告掲載形式を許容することで、ユーザにより強い印象を残そうとする広告主のニーズを満たすことができる。
【００１７】
本発明の実施形態によると、キーワード広告提供者の収益を最大にすることができる。
【図面の簡単な説明】
【００１８】
【図１】本発明の一実施形態による、キーワード広告領域をユーザの視点から多様なサイズを有するように柔軟に分割し、分割されたキーワード広告領域に広告を掲載するための全体システムの構成を概略的に示す図面である。
【図２】本発明の一実施形態によるキーワード広告システム２００の内部構成を詳細に図示した図面である。
【図３】（ａ）本発明の一実施形態による、キーワード広告領域をユーザの視点から多様なサイズを有するように柔軟に分割された例を示す図面である。（ｂ）本発明の一実施形態による、ユーザの視点からキーワード広告領域を多様なサイズを有するように柔軟に分割された例を示す図面である。（ｃ）本発明の一実施形態による、キーワード広告領域をユーザの視点から多様なサイズを有するように柔軟に分割された例を示す図面である。
【図４】（ａ）本発明の一実施形態により、図３（ｃ）により柔軟に分割された広告領域を有する結合スロットを生成する方法を例示的に示す図面である。（ｂ）本発明の一実施形態により、図３（ｃ）により柔軟に分割された広告領域を有する結合スロットを生成する方法を例示的に示す図面である。
【図５】本発明の一実施形態による、ユーザの視点からの多様なサイズを有するキーワード広告領域に応じて、キーワード広告の表示形式が異なる例を例示的に示す図面である。
【図６】本発明の一実施形態による、ユーザの視点からの多様なサイズを有するキーワード広告領域に応じて、キーワード広告の表示形式が異なる例を例示的に示す図面である。
【図７】本発明の一実施形態による、入札情報データベース２５０ａに保存される入札情報データを例示的に示す図面である。
【図８】掲載組み合わせデータベース２５０ｂに保存されるデータを例示的に示す図面である。
【発明を実施するための形態】
【００１９】
以下、本発明が属する技術分野における通常の知識を有した者が本発明を容易に実施することができるように、本発明の好ましい実施形態について添付図面を参照して詳細に説明する。
【００２０】
［本発明の好ましい実施例］
本明細書において、検索とは、データベースから所望の情報を探し出すことの総称であり、狭義としては、ローカルファイル内の記録に含まれたラベル（ｌａｂｅｌ）又はキー（ｋｅｙ）に基づき、ローカルファイル内のデータを抽出することを指し、広義としては、ネットワークに接続されたコンピュータから特定のデータを獲得することまでを包括する意味と理解すべきである。
【００２１】
本明細書において、検索手掛りとは、検索結果を導き出すために用いられる情報を指す総称であり、ユーザにより直接特定される一つの単語又は二つの単語以上からなる文章を全て含む意味としてのキーワード、カテゴリ及び位置識別子（例えば、ＵＲＬ）は勿論、ユーザが検索結果から利用するコンテンツに基づき二次的に獲得されるキーワード、カテゴリ及び位置識別子までも包括する最広義の意味として解釈すべきである。
【００２２】
本明細書において、キーワード広告とは、ユーザが検索エンジンを用いて特定の検索手掛りで検索を行った場合、検索結果ページ上の特定の位置に広告主のウェブページアドレス、広告メッセージ、画像などの広告情報が掲載されるようにする広告方法、またはその広告方法による広告コンテンツの総称である。
【００２３】
本明細書において、広告スロット又は広告インベントリは全て同一の意味であって、キーワード広告領域のうち広告が掲載されることができる単位空間を意味し、一つの広告は一つ又はそれ以上の広告スロット又は広告インベントリに掲載されてもよい。
【００２４】
全体システムの構成
図１は、本発明の一実施形態による、キーワード広告領域をユーザの視点から多様なサイズを有するように柔軟に分割し、分割されたキーワード広告領域に広告を掲載するための全体システムの構成を概略的に示す図面である。
【００２５】
図１に示したように、本発明の一実施形態による全体システムは、通信網１００と、キーワード広告領域をユーザの視点から多様なサイズを有するように柔軟に分割し、分割されたキーワード広告領域に広告を掲載するためのキーワード広告システム２００と、広告主サーバ（又は広告主端末装置）３００と、ユーザ端末装置４００と、ユーザのリクエストに応じて、ユーザ端末装置４００から受信された検索手掛りに応じたコンテンツを検索して提供する複数のウェブサーバ５００と、で構成されてもよい。
【００２６】
まず、通信網１００は、有線及び無線のような通信形態を問わず構成されることができ、ローカルエリアネットワーク（ＬＡＮ；Ｌｏｃａｌ  Ａｒｅａ  Ｎｅｔｗｏｒｋ）、メトロポリタンエリアネットワーク（ＭＡＮ；Ｍｅｔｒｏｐｏｌｉｔａｎ  Ａｒｅａ  Ｎｅｔｗｏｒｋ）、広域ネットワーク（ＷＡＮ；Ｗｉｄｅ  Ａｒｅａ  Ｎｅｔｗｏｒｋ）など、多様な通信網で構成されることができる。本発明における通信網１００は、公知のワールドワイドウェブ（ＷＷＷ；Ｗｏｒｌｄ  Ｗｉｄｅ  Ｗｅｂ）であることが好ましい。
【００２７】
本発明の一実施形態によるキーワード広告システム２００は、ユーザ端末装置４００から入力された検索手掛りに応じて導き出された検索結果ページにキーワード広告が掲載されるようにする。
【００２８】
また、本発明の一実施形態によるキーワード広告システム２００は、検索結果ページ上でキーワード広告が掲載される領域であるキーワード広告領域をユーザの視点から多様なサイズを有する複数の広告スロット又はインベントリに分割し、広告主に前記複数の広告スロット又はインベントリを提供して、前記広告主のキーワード広告が前記広告スロット又はインベントリ上に掲載されることができるようにしてもよい。
【００２９】
また、本発明の一実施形態によるキーワード広告システム２００は、キーワード広告領域における広告掲載権を広告主に販売してもよい。
【００３０】
本発明の一実施形態による広告主サーバ３００は、広告主がキーワード広告システム２００に接続して通信できるようにする機能を含む。但し、パソコン（例えば、デスクトップコンピュータ、ノートパソコンなど）、ワークステーション、ＰＤＡ、ウェブパッド、携帯電話などのようにメモリー手段を備え、マイクロプロセッサを搭載して演算能力を備えたデジタル機器であれば、本発明による広告主サーバ３００の一構成装置、又は広告主端末装置３００として使用されてもよい。
【００３１】
具体的には、本発明の一実施形態による広告主サーバ３００は、広告主が掲載しようとするキーワード広告の広告情報、前記広告に係る検索手掛り情報、前記広告の情報がキーワード広告領域内に位置する広告スロット又はインベントリに関する情報、及び広告費に関する情報を入札などの手続きを経てキーワード広告システム２００に提供してもよく、キーワード広告システム２００から入札結果に関する情報を提供されてもよい。このような広告主サーバ３００は、広告主が商品やサービスを提供するために運営するホームページ運営サーバであってもよい。
【００３２】
一方、本発明の一実施形態によるユーザ端末装置４００は、ユーザがウェブサーバ５００に接続して通信できるようにする機能を含むデジタル機器であって、パソコン（例えば、デスクトップコンピュータ、ノートパソコンなど）、ワークステーション、ＰＤＡ、ウェブパッド、携帯電話などのような、メモリー手段を備え、マイクロプロセッサを搭載して演算能力を備えたデジタル機器であれば、本発明によるユーザ端末装置４００として使用されてもよい。また、ユーザ端末装置４００には、ユーザがウェブサーバ５００にコンテンツを要求し、提供を受けることをできるようにするウェブブラウザ（図示せず）プログラムがさらに含まれてもよい。
【００３３】
本発明の一実施形態によるウェブサーバ５００は、キーワード広告システム２００及び／又はユーザ端末装置４００との通信を行うことができる。例えば、ウェブサーバ５００は検索サイトの運営サーバであってもよいが、この場合、ウェブサーバ５００はウェブコンテンツ検索エンジン（図示せず）を含み、ユーザが入力した検索手掛りを保存し、検索手掛りに該当するコンテンツを検索して、検索結果をユーザがブラウジングできるようにすることができる。検索結果として提供されるコンテンツは、ニュース、知識、ゲーム、コミュニティーなどに関する多様な情報であってもよい。勿論、必要に応じて、ウェブコンテンツ検索エンジンはウェブサーバ５００でなく、他の演算装置や記録媒体に含まれてもよい。また、図１にはキーワード広告システム２００とウェブサーバ５００とが別に構成されていることを示しているが、本発明を実現する当業者の必要に応じて、コンテンツに対する検索サービスとキーワード広告サービスとをともに提供する場合は、キーワード広告システム２００はコンテンツ検索サービスを提供するウェブサーバ５００に含まれて構成されてもよい。
【００３４】
キーワード広告システムの構成
以下では、本発明の一実施形態によるキーワード広告システム２００の内部構成及び各構成要素の機能について詳細に説明する。
【００３５】
図２は、本発明の一実施形態によるキーワード広告システム２００の内部構成を詳細に図示した図面である。図２を参照すると、本発明の一実施形態によるキーワード広告システム２００は、入札情報管理部２１０、広告スロット管理部２２０、広告提供部２３０、課金処理部２４０、データベース管理部２５０、通信部２６０及び制御部２７０を含んでもよい。広告スロット管理部２２０は、入札情報分析部２２２及び広告スロット割当部２２４を含んでもよい。本発明の一実施形態によると、入札情報管理部２１０、広告スロット管理部２２０、広告提供部２３０、課金処理部２４０、データベース管理部２５０、通信部２６０及び制御部２７０の少なくとも一部は、広告主サーバ３００及び／又はウェブサーバ５００と通信するプログラムモジュールであってもよい。このようなプログラムモジュールは、運営システム、応用プログラムモジュール及びその他のプログラムモジュールの形態でキーワード広告システム２００に含まれてもよく、様々な公知の記憶装置に物理的に保存されてもよい。また、このようなプログラムモジュールは、キーワード広告システム２００と通信可能な遠隔記憶装置に保存されてもよい。一方、このようなプログラムモジュールは、本発明による後述する特定の業務を実行する、又は特定の抽象データ型を実行するルーチン、サブルーチン、プログラム、オブジェクト、コンポーネント、データ構造などを包括するが、これに制限されない。
【００３６】
先ず、本発明の一実施形態による入札情報管理部２１０は、広告主サーバ３００からキーワード広告の掲載に関する入札情報を受信し、受信された入札情報を保存してもよい。また、入札過程が終了すると、入札情報管理部２１０は、多くの広告主の入札情報に基づき決定された落札情報を広告主に通知してもよい。
【００３７】
前記のような入札情報は、キーワード広告の広告情報、前記広告に係る検索手掛り情報、前記広告の情報がキーワード広告領域内に位置し、ユーザの視点から多様なサイズを有する広告スロット又はインベントリに関する情報、入札金額情報などを含んでもよい。
【００３８】
次に、本発明の一実施形態による広告スロット管理部２２０は、検索手掛り別に多くの広告主の入札情報を分析してキーワード広告領域に掲載されるキーワード広告を決定し、キーワード広告領域に掲載すると決定されたキーワード広告に、ユーザの視点から多様なサイズを有する広告スロット又はインベントリを割り当ててもよい。
【００３９】
より具体的には、本発明の一実施形態による入札情報分析部２２２は、多くの広告主の入札情報に基づいて各検索手掛り別にキーワード広告領域を構成するキーワード広告を選定してもよい。この際、入札情報分析部２２２は、広告主からの入札情報及びその他の情報（例えば、検索手掛りの属性、広告主の属性、課金方法など）を考慮して、キーワード広告領域の効用を最大化することができるキーワード広告の組み合わせを決定してもよい。
【００４０】
また、本発明の一実施形態による広告スロット割当部２２４は、入札情報分析部２２２が各検索手掛り別に決定した組み合わせに基づき、ユーザの視点から多様なサイズを有するキーワード広告領域の広告スロット又はインベントリをキーワード広告に割り当ててもよい。
【００４１】
次に、本発明の一実施形態によると、広告提供部２３０は、検索手掛りに応じた検索結果とともに広告スロット管理部２２０で決定されたキーワード広告の組み合わせをウェブサーバ５００などを通じてユーザ端末装置４００に提供してもよい。
【００４２】
次に、本発明の一実施形態による課金処理部２４０は、広告主の入札情報に基づいて、検索結果とともに提供されるキーワード広告に対して課金を行ってもよい。
【００４３】
本発明の一実施形態によるデータベース管理部２５０は、広告主の入札情報が保存された入札情報データベース２５０ａ及び検索結果とともに提供されるキーワード広告の組み合わせに関する情報が保存された掲載組み合わせデータベース２５０ｂを含んでもよい。
【００４４】
本発明の一実施形態による通信部２６０は、本発明の一実施形態によるキーワード広告システム２００へ／からデータを送受信することが可能であってもよい。
【００４５】
本発明の一実施形態による制御部２７０は、入札情報管理部２１０、広告スロット管理部２２０、広告提供部２３０、課金処理部２４０、データベース管理部２５０及び通信部２６０間のデータの流れを制御してもよい。即ち、制御部２７０は、外部からの／への又はキーワード広告システム２００の各構成要素間のデータの流れを制御することにより、入札情報管理部２１０、広告スロット管理部２２０、広告提供部２３０、課金処理部２４０、データベース管理部２５０及び通信部２６０におけるそれぞれの固有機能を行うように制御する。
【００４６】
以上の説明において、本発明を実現するための情報を保存するデータベースを、入札情報データベース２５０ａ及び掲載組み合わせデータベース２５０ｂの二つに分類したが、このような分類を含むデータベースの構成は当業者の必要に応じて変更されてもよい。
【００４７】
最後に、本明細書におけるデータベースとは、狭義のデータベースだけでなく、コンピューターファイルシステムに基づいたデータ記録などを含む広義のデータベースまでも含み、単純な演算処理履歴の集合でも、これを検索して所定のデータを抽出することができるものなら、本発明におけるデータベースに含まれることができるということが理解されるべきである。
【００４８】
キーワード広告領域の構成
本発明の一実施形態によると、検索結果とともにキーワード広告が掲載される領域であるキーワード広告領域は、ユーザの視点から多様なサイズを有する一つ以上の広告スロット又はインベントリで構成されてもよい。例えば、キーワード広告領域が計６個の広告スロット又はインベントリで構成される場合、キーワード広告領域には最大６個の互いに異なるキーワード広告が掲載されることができる。
【００４９】
本発明の一実施形態によると、キーワード広告領域を構成する広告スロット又はインベントリのうち空間的に連続する位置又は不連続な位置にある二つ以上の広告スロット又はインベントリを結合して、一つの広告主が広告を掲載してもよく、これによりユーザには全体的なキーワード広告領域が多様なサイズを有するように柔軟に分割されたものと見える。
【００５０】
図３は、本発明の一実施形態により、キーワード広告領域がユーザの視点から柔軟に分割される例を示す図面である。
【００５１】
図３（ａ）は、キーワード広告領域を構成する広告スロットが柔軟に分割される前の状態を図示した図面であるが、これを参照すると、キーワード広告領域は、広告スロット１〜６の計６個の広告スロット又はインベントリで構成されていることを確認することができる。一方、図３（ｂ）及び図３（ｃ）を参照すると、キーワード広告領域を構成する広告スロット又はインベントリは、多様な方法によりユーザの視点から柔軟に分割されることができることを確認することができる。例えば、図３（ｂ）に示されるように、広告スロット１〜６が全て結合して、キーワード広告領域全体に一つの広告スロット又はインベントリのみが存在して一つの広告主のみが広告を掲載しているようにユーザに見られてもよい。また、図３（ｃ）に示されるように、広告スロット１及び２が結合されて、該当する広告領域は一つの広告スロット又はインベントリのみが存在しているように一つの広告主のみが広告できる空間に活用されてもよく、広告スロット４乃至６も併合され、これもまた一つの広告スロット又はインベントリのみが存在しているように一つの広告主のみが広告できる空間に活用されてもよい。そのため、ユーザの視点から、キーワード広告領域はサイズが互いに異なる計３個の広告スロット又はインベントリを有しているように柔軟に分割されることもできる。また、図３（ｃ）で不連続的な位置にある広告スロット１、２と、広告スロット４、５、６とを結合し、このような不連続的な空間を一つの広告主のみが広告できる空間に活用して、ユーザの視点からは空間的に離隔されているが、計２個のサイズが異なる広告スロット又はインベントリを有しているように、キーワード広告領域は柔軟に分割されることもできる。図示されたキーワード広告領域は、その他にも多様な方法により分割されることができる。
【００５２】
本発明の一実施形態によると、連続的又は不連続的な位置にある複数の広告スロット又はインベントリは、纏められるか結ばれ、即ち結合されて、一つの広告主により広告を掲載されることができる形態のスロット又はインベントリ（以下、「結合スロット」とする）が生成されることができる。生成された結合スロットは、結合される前の広告スロット又はインベントリより全体キーワード広告領域においてさらに広い領域を占めてもよい。
【００５３】
即ち、結合スロットの生成は、結合の対象となるインベントリが結合していない状態でユーザに露出されると期待される広告提供領域に相当する結合された領域に一つの広告主の広告が露出される場合は全て含まれる、最広義の意味で解釈されなければならない。
【００５４】
このような結合スロットの生成に関し、キーワード広告システム２００は、既存の広告スロット構造をそのまま維持するとともに、結合の対象となる広告インベントリが占めると予想される領域に相当する領域（結合スロットの広告領域）に一つの広告主の広告が露出されるようにして、ユーザの視点から結合の対象となる広告インベントリが結合されるように処理されてもよい。そうでなければ、キーワード広告システム２００は、異なる識別子を付与する方法により、結合の対象となるインベントリを実質的に結合し、新しい識別子を付与して新しいサイズを有する新しいインベントリを生成した後、この領域に広告主の広告を掲載する、という結合の対象となるインベントリの処理を行ってもよい。
【００５５】
図４は、本発明の一実施形態により、図３（ｃ）による柔軟に分割された広告領域を有する結合スロットを生成する方法を例示的に示した図面である。
【００５６】
図４（ａ）は、既存の広告スロット構造（広告スロット１〜６）のうち広告スロット１〜２を含む領域を結合して新しい識別子Ａを付与した結合スロットと、既存の広告スロット３に新しい識別子であるＢを付与した結合スロットと、そして既存の広告スロット４〜６を含む領域を結合して新しい識別子であるＣを付与した広告スロットとを生成し、３つのサイズが互いに異なるように生成された結合スロットにそれぞれの広告主が広告を掲載するようにする方法を示す。この場合、既存の広告スロット構造を再構成することにより、ユーザの視点からサイズが互いに異なる複数の分割された広告領域が実際に再構成された広告領域と一致する。
【００５７】
図４（ｂ）は、既存の広告スロット構造（広告スロット１〜６）をそのまま維持しながら、キーワード広告領域がユーザの視点から互いにサイズが異なる複数の広告スロットに分割されたようにキーワード広告領域に多様なサイズを有する結合スロットを提供して、該結合スロットに広告主が広告を各々掲載するようにする方法を示す。この場合、別途の識別子を付与する必要がなく、ユーザの視点からはキーワード広告領域においてサイズが互いに異なる複数の分割された広告領域が提供される。結合の対象となるインベントリの結合された領域に一つの広告主の広告が露出されて、ユーザの視点からは結合されているように見えるが、この構造は実際の広告スロット構造とは相異している。
【００５８】
結合スロットは、前記のような二つの方法を含む他のさまざまな方法により内部的に生成されることができるが、その結合スロットの生成方法に関係なく、ユーザには多様なサイズを有する複数の広告スロット又はインベントリに分割されたように見えることは明らかである。
【００５９】
本発明の一実施形態によると、広告スロット及び結合スロットはそれぞれ互いに異なる広告主に割り当てられてもよく、広告スロット又は結合スロットを割り当てられた各広告主は該当スロットに自分のキーワード広告を掲載することができる。
【００６０】
本発明の一実施形態によると、広告スロットに掲載されるキーワード広告と結合スロットに掲載されるキーワード広告とは、表示される形式が相異してもよい。例えば、単位広告スロットに掲載されるキーワード広告は、１行メッセージからなる広告情報のみを含むように制限されてよく、一方、結合スロットに掲載されるキーワード広告は、イメージなどを含むより多様なものであってもよい。また、キーワードスロットの場合にも、結合された広告スロットの個数及び結合の連続性又は不連続性に応じて、多様な形式の広告情報が掲載されることができる。
【００６１】
図５及び図６は、本発明の一実施形態による、広告スロットの結合に応じてキーワード広告の表示形式が変更される例を図面である。
【００６２】
図５を参照すると、一つの広告スロット上に掲載されるキーワード広告は、図示されたようにテキストだけで構成された広告情報を含む反面、キーワードスロットに掲載される検索広告は、テキスト及びイメージで構成された広告情報を含むことができることが分かる。
【００６３】
本発明の一実施形態によると、結合された広告スロットの個数が多くなるにつれて、検索広告に含まれることができる広告情報の種類も多様になる。図６は、６個の広告スロットが結合されて生成された一つの結合スロットに一つのキーワード広告が掲載された例を示している。図６を参照すると、結合スロットに掲載されるキーワード広告には動画再生ウィンドウ、イメージ、テキストなどを用いて多様な方法で生成された広告情報が含まれることができることを確認することができる。
【００６４】
キーワード広告の掲載権に対するオークション
本発明の一実施形態によると、広告主は、キーワード広告を掲載しようとする検索手掛り、広告スロットの数又は位置などを指定しながらキーワード広告の掲載権を購買することができる。
【００６５】
本発明の一実施形態によると、キーワード広告の掲載権の販売はオンラインオークションなどのような方法で行うことができる。即ち、この方法は、基本的にキーワード広告を掲載しようとする広告主が広告掲載料として自分が支払うことができる金額を入力すると、前記金額に基づき検索結果ページに掲載されるキーワード広告を決定する方法であってもよい。
【００６６】
以下では、オークションの方法でキーワード広告の掲載権が販売される場合を想定して本発明をより詳細に説明する。
【００６７】
本発明の一実施形態によると、入札情報管理部２１０は、広告主がキーワード広告の掲載権のオークション手続きに参加できるようにするインターフェースを広告主サーバ３００に提供し、前記インターフェースを通じて広告主から入札情報を受信する。
【００６８】
より具体的には、入札情報管理部２１０は、広告主がキーワード広告の広告情報を入力できるようにする機能、広告主が検索手掛りを特定できるようにする機能、広告主が広告スロットに関する情報を入力できるようにする機能、広告主が入札金額を入力できるようにする機能などを含むインターフェースを広告主サーバ３００に提供することができる。これにより、例えば、広告主はＫという検索キーワードに対して広告スロットＮ〜Ｍ（Ｎ及びＭは自然数であり、ＭはＮ以上）を指定して、金額Ａで指定した広告スロットを入札することができる。また他の例として、広告主はＪという検索キーワードに対してＬ個（Lは自然数）に分割された広告スロットのうち一つ以上を指定し（１、Ｌ−３、Ｌのように不連続的な広告スロットの位置をそれぞれ指定してもよい）、金額Ｂで指定した広告スロットを入札することができる。
【００６９】
本発明の一実施形態によると、広告主のキーワード広告が掲載される広告スロットに関する情報の入力は、広告主が特定の検索手掛りに関する検索結果ページのキーワード広告領域で自分のキーワード広告が占める広告スロットの位置及び／又は個数を入力することにより行われることができる。例えば、広告主のキーワード広告がテキストのみを含む比較的簡単な広告情報で構成される場合、広告主は、自分が広告を掲載しようとする広告スロットの個数を１に指定してもよく、広告主が自分のキーワード広告により多様な広告情報を含ませようとする場合、広告スロットの個数を２以上に指定してもよい。それだけでなく、広告主は、自分のキーワード広告が掲載される広告スロットの位置を特定することができる。例えば、広告主がキーワード広告領域において自分のキーワード広告を他の広告主のキーワード広告よりさらに上位に位置させようとする場合、できるだけ上位にある広告スロットを指定して入札に参加してもよい。
【００７０】
本発明の一実施形態によると、入札情報管理部２１０が提供するインターフェースは、広告主がキーワード広告を掲載しようとする広告スロットの個数に応じて予め設定された広告情報テンプレートを広告主サーバ３００に伝送する機能を含んでもよい。これにより、広告主はより容易に広告情報を生成及び配置することができる。
【００７１】
本発明の一実施形態によると、入札情報管理部２１０は、前記のような広告主の入札情報を広告主の識別情報と連結して、入札情報データベース２５０ａに保存してもよい。
【００７２】
図７は、本発明の一実施形態による、入札情報データベース２５０ａに保存される入札情報データを例示的に示す図面である。
【００７３】
図７を参照すると、入札情報Ｂ１の場合、検索キーワード「花配達」に対して広告スロット１〜３を指定した入札に関するものであることを分かり、入札情報Ｂ２の場合、「ｗｗｗ．ｎａｖｅｒ．ｃｏｍ」というＵＲＬに対して広告スロット２のみを指定した入札に関するものであるということが分かる。一方、入札情報Ｂ３の場合、２次キーワードである「花配達」に対する入札に関するものであることが示されているが、ここで２次キーワードとは、ユーザ端末装置４００で最初に利用されたコンテンツに係わって導き出されるキーワード（例えば、ユーザが照会するウェブページのコンテンツに含まれたキーワードなど）を指す。図７には示されていないが、不連続的に選択された広告スロット（例えば、広告スロットを４及び６）の入札も可能であることは言うまでもない。
【００７４】
広告スロットの割り当て
本発明の一実施形態によると、広告スロット管理部２２０は、入札情報を分析して、検索手掛り別にキーワード広告領域に掲載されるキーワード広告の組み合わせを決定してもよい。
【００７５】
より具体的には、本発明の一実施形態による入札情報分析部２２２は、入札情報データベース２５０ａに保存された入札情報を検索手掛り別に分類した後、同一の検索手掛りに係わる入札情報のうち該当する検索手掛りに関するキーワード広告領域においてともに掲載されることができるキーワード広告に関する入札情報の全ての件数に対するそれぞれの組み合わせ（以下、「互いに素な組み合わせ」とする）を抽出してもよい。
【００７６】
図７を参照して互いに素な組み合わせに関してより詳細に説明すると、図示された入札情報Ｂ１、Ｂ４及びＢ５は、全て「花配達」という検索キーワードに対する入札に関するものであり、入札情報Ｂ１では広告スロット１〜３が指定されており、入札情報Ｂ４では広告スロット４〜５が指定されており、入札情報Ｂ５では広告スロット６が指定されたことを確認することができる。従って、入札情報Ｂ１、Ｂ４及びＢ５によるキーワード広告の広告情報は一つのキーワード広告領域にともに掲載されることができるため（即ち、三つのキーワード広告の広告情報が占める広告スロットには互いに重複する広告スロットが存在しない）、｛Ｂ１、Ｂ４、Ｂ５｝の組み合わせは互いに素な組み合わせと言える。例示されている場合、｛Ｂ６｝も互いに素な組み合わせと言える。検索広告領域に含まれる全ての広告スロットが検索広告で満たされるものでない場合を除いて、｛Ｂ１｝、｛Ｂ１、Ｂ４｝、｛Ｂ４、Ｂ５｝なども互いに素な組み合わせと言える。即ち、図７において、検索キーワード「花配達」に対する全ての互いに素な組み合わせは、｛Ｂ１｝、｛Ｂ４｝、｛Ｂ５｝、｛Ｂ６｝、｛Ｂ１、Ｂ４｝、｛Ｂ１、Ｂ５｝、｛Ｂ４、Ｂ５｝及び｛Ｂ１、Ｂ４、Ｂ５｝であることが分かる。一方、｛Ｂ１、Ｂ６｝、｛Ｂ４、Ｂ６｝、｛Ｂ１、Ｂ４、Ｂ６｝などは互いに素な組み合わせではない。
【００７７】
図７は、入札過程で広告主が広告スロットの位置を指定する場合を想定して図示されたが、広告主が広告スロットの個数のみを指定する場合にはより多様な互いに素な組み合わせが生成されることができる。このような場合、（特定の検索手掛りに関して割り当てられた）広告スロットの合計の個数を超えない組み合わせであれば、あらゆる組み合わせが互いに素な組み合わせに分類されることができる。
【００７８】
本発明の一実施形態によると、入札情報分析部２２２は、検索手掛り別に抽出された互いに素な組み合わせのうち少なくとも一つの組み合わせを該当する検索手掛りに係わるキーワード広告領域に実際に掲載される掲載組み合わせとして選定してもよい。
【００７９】
互いに素な組み合わせのうち掲載組み合わせを選定する作業は、多様な基準に沿って行われることができる。
【００８０】
本発明の一実施形態によると、まず、掲載組み合わせは、キーワード広告領域の経済的効用を最大化する基準で選定されてもよい。即ち、互いに素な組み合わせを経済的効用順に整列させ、このうち経済的効用が高い上位ｎ個の互いに素な組み合わせを掲載組み合わせとして選定することができる。図６を参照してより具体的に説明すると、「花配達」という検索手掛りに関する互いに素な組み合わせ｛Ｂ６｝の場合、入札金額の合計が１，０００ウォンである一方、互いに素な組み合わせ｛Ｂ１、Ｂ４、Ｂ５｝の場合、入札金額の合計が１，２００ウォン（５００ウォン＋４００ウォン＋３００ウォン）になるため、互いに素な組み合わせ｛Ｂ１、Ｂ４、Ｂ５｝が互いに素な組み合わせ｛Ｂ６｝よりも大きな経済的効用を有することを確認することができる。従って、｛Ｂ６｝よりは｛Ｂ１、Ｂ４、Ｂ５｝を掲載組み合わせとして優先することができる。
【００８１】
本発明の一実施形態によると、入札情報に含まれた入札金額は、ユーザに広告が露出される回数に応じて広告費を算出するＣＰＭ（Ｃｏｓｔ  Ｐｅｒ  Ｍｉｌｌｅｎｎｉｕｍ）方法、広告が掲載される時間を基準にして広告費を算出するＣＰＴ（Ｃｏｓｔ  Ｐｅｒ  Ｔｉｍｅ）方法、ユーザが広告情報を選択してクリックする回数に応じて広告費を算出するＣＰＣ（Ｃｏｓｔ  Ｐｅｒ  Ｃｌｉｃｋ）方法、ユーザの行動結果（例えば、検索広告を通じた商品の購買など）に応じて広告費を算出するＣＰＡ（Ｃｏｓｔ  Ｐｅｒ  Ａｃｔｉｏｎ）方法のうち少なくとも一つによる金額であってもよい。前記のように入札金額のみを考慮して経済的効用を測る方法は、ＣＰＭ方法又はＣＰＴ方法にがより適切である。
【００８２】
本発明の一実施形態によると、ＣＰＣ方法又はＣＰＡ方法を適応される場合、入札情報に含まれない情報を追加的に考慮して経済的効用を算出してもよい。より具体的には、ＣＰＣ方法の場合、広告主の入札金額（事実上、この場合には入札単価）はユーザが広告情報をクリックする度に広告主に付加する広告費用であるため、入札金額だけでは経済的効用の最大化の可否を判断するのは若干困難である。その理由は、入札金額自体は高くても、ユーザが該当する広告情報をクリックする回数が少なかったり（即ち、ユーザ誘引効果が少なかったり）、ユーザが該当する検索広告を通じて実際行動を取る回数が少ないと（即ち、購買誘導効果が少ないと）経済的効用は低くなるためである。従って、キーワード広告又は、広告主のウェブサイトがユーザのクリックを誘導する程度又はユーザの実際行動を誘発する程度に応じて入札情報に加重値が付与されてもよい。
【００８３】
本発明の一実施形態によると、ＣＰＣ方法又はＣＰＡ方法において入札情報に付与される加重値は、キーワード広告システム２００に保存された既存の履歴情報を活用して決定してもよい。即ち、現在行われているオークションに入札した広告主の既存履歴を照会した後、過去により高いクリック率（Ｃｌｉｃｋ  Ｔｈｒｏｕｇｈ  Ｒａｔｅ；ＣＴＲ）又はコンバージョン率（Ｃｏｎｖｅｒｓｉｏｎ  Ｒａｔｅ；ＣＲ）を記録した広告主の入札情報に、より高い加重値を付与してもよい。この際、最も単純な方法としては、既存の履歴を通じて把握されるクリック率又はコンバージョン率自体を該当の入札情報の加重値として利用する案が想定される。一方、既存の履歴を把握することができない広告主の入札情報については、該当する検索手掛りに関するクリック率の平均値又はコンバージョン率の平均値を推定加重値として利用してもよい。
【００８４】
本発明の一実施形態によると、掲載組み合わせは、前記経済的効用とともに検索手掛りの属性を考慮して決定されてもよい。例えば、多くの広告主に人気の高い検索手掛り（例えば、人気キーワード、検索ポータルサイトの初期画面のＵＲＬなど）やユーザに選択の多様性を保障することが要求される検索手掛り（例えば、「ペンション」、「グルメ」などのような検索キーワード）の場合、経済的効用のみを考慮するようになると、大手企業などのように資金動員力の大きな一部の広告主が広告掲載権を独占的に確保することになり、一般広告主の不満が大きくなる可能性があり、消費者の選択権が制限される恐れがある。このため、このような場合、掲載組み合わせの選定に多少の変更を加えることができる。より具体的には、多くの互いに素な組み合わせから３個の掲載組み合わせを選定する場合を想定すると、３個の掲載組み合わせのうちの一つは経済的効用のみを考慮して選定されるが、他の二つはより多くの広告主に広告掲載権を提供するように選定されてもよい。また他の方法として、人気の高い検索キーワードについては、広告主に所定数未満の広告スロットのみを指定して入札に参加するように強制することもできる。
【００８５】
本発明の一実施形態によると、掲載組み合わせは、入札に参加した広告主の属性をさらに考慮して決定してもよい。例えば、キーワード広告システム２００の広告運営方針に頻繁に違反した広告主の入札情報に低い加重値を付与したり、キーワード広告システム２００を用いて連続的に検索広告を掲載した広告主の入札情報に高い加重値を付与することもできる。
【００８６】
本発明の一実施形態によると、入札情報分析部２２２は、前記のような方法により決定された掲載組み合わせに関する情報を掲載組み合わせデータベース２５０ｂに保存してもよい。
【００８７】
図８は、掲載組み合わせデータベース２５０ｂに保存されるデータを例示的に示す図面である。
【００８８】
図８を参照すると、入札情報分析部２２２により決定された掲載組み合わせ（即ち、｛Ｂ１、Ｂ４、Ｂ５｝、｛Ｂ６｝、｛Ｂ８、Ｂ２、Ｂ１１｝）がそれぞれ該当する検索手掛り及び広告スロットに関する情報に関連して保存されていることを確認することができる。一方、図８において、検索手掛りＫ１は一つの検索手掛りであるが、複数の掲載組み合わせに関連して保存されている。
【００８９】
一方、以上のような掲載組み合わせを選択するための基準、即ち、経済的効用、検索手掛りの属性、広告主の属性などは、選択された掲載組み合わせに該当する複数のキーワード広告の最終的な掲載順位を決定することにも参照されてもよい。
【００９０】
以上で説明した本発明による実施形態は、多様なコンピュータの構成要素によって実行されるプログラム命令語の形態で実現され、コンピュータ読み取り可能な記録媒体に記録されることができる。前記コンピュータ読み取り可能な記録媒体は、プログラム命令語、データファイル、データ構造などを単独に、又は組み合わせて含むことができる。前記コンピュータ読み取り可能な記録媒体に記録されるプログラム命令語は、本発明のために特に設計及び構成されたものであってもよく、コンピュータソフトウェア分野の当業者に公知されて使用可能なものであってもよい。コンピュータ読み取り可能な記録媒体の例としては、ハードディスク、フロッピー（登録商標）ディスク及び磁気テープのような磁気媒体、ＣＤ−ＲＯＭ、ＤＶＤなどのような光記録媒体、フロプティカルディスク（ｆｌｏｐｔｉｃａｌ  ｄｉｓｋ）のような磁気−光媒体（ｍａｇｎｅｔｏ−ｏｐｔｉｃａｌ  ｍｅｄｉａ）及びＲＯＭ、ＲＡＭ、フラッシュメモリなどのような、プログラム命令語を保存及び実行するように特に構成されたハードウェア装置が含まれる。プログラム命令語の例としては、コンパイラーよって作られるもののような機械語コードだけでなく、インタープリタなどを用いてコンピュータによって実行されることができる高級言語コードも含まれる。前記ハードウェア装置は、本発明による処理を行うために一つ以上のソフトウェアモジュールとして作動するように構成されることができ、その逆も同様である。
【００９１】
以上、本発明を具体的な構成要素などのような特定事項と限定された実施形態及び図面を参照して説明したが、これは本発明のより全体的な理解を容易にするために提供されたものにすぎず、本発明は前記実施形態によって限定されず、本発明が属する分野で通常的な知識を有した者であれば、このような記載から多様な修正及び変更が可能である。
【００９２】
従って、本発明の思想は前記実施例に限定されて決まってはならず、添付する特許請求範囲だけでなく、特許請求範囲と均等又は等価的に変形された全てのものは、本発明の思想の範疇に属するというべきであろう。
【符号の説明】
【００９３】
１００  通信網
２００  キーワード広告システム
２１０  入札情報管理部
２２０  広告スロット管理部
２２２  入札情報分析部
２２４  広告スロット割当部
２３０  広告提供部
２４０  課金処理部
２５０  データベース管理部
２５０ａ  入札情報データベース
２５０ｂ  掲載組み合わせデータベース
２６０  通信部
２７０  制御部
３００  広告主サーバ
４００  ユーザ端末装置
５００  ウェブサーバ
【図１】
0005558493.tif 000002
【図２】
0005558493.tif 000003
【図３】
0005558493.tif 000004
【図４】
0005558493.tif 000005
【図５】
0005558493.tif 000006
【図６】
0005558493.tif 000007
【図７】
0005558493.tif 000008
【図８】
0005558493.tif 000009